(57)【特許請求の範囲】
【請求項１】
ネットワーク計画の応用シナリオを構成する装置であって、
第一構成ユニット及び第二構成ユニットを含み、
前記第一構成ユニットは、計画待ち領域中のユーザーの数量及びユーザーの選択可能な位置に基づいて、ユーザーの実際の分布を構成し、
前記第二構成ユニットは、ユーザーの選択可能な位置及び/又は前記ユーザーの実際の分布に基づいて、端末の類型及び分布を構成することにより、ネットワーク計画の応用シナリオを取得し、
前記端末の類型は、第1類端末及び第2類端末を含み、前記第1類端末とは、該第1類端末がAP（access  point）をアクセスした後に、前記APが、前記第1類端末を、アクセスしている端末の総数に累加する端末を指し、前記第2類端末とは、前記第2類端末がAPをアクセスした後に、前記APが、前記第2類端末を、アクセスしている端末の総数に累加しない端末を指す、装置。
【請求項２】
請求項1に記載の装置であって、
前記第一構成ユニットは、第一構成モジュール及び第一取得モジュールを含み、
前記第一構成モジュールは、前記計画待ち領域中でユーザーの選択可能な位置を構成し、
前記第一取得モジュールは、前記ユーザーの選択可能な位置から、前記ユーザーの数量と同じ数量の第一選択可能な位置を選択し、そして、選択した第一選択可能な位置上でユーザーを構成することにより、ユーザーの実際の分布を取得する、装置。
【請求項３】
請求項2に記載の装置であって、
前記第二構成ユニットは、第二構成モジュール及び第三構成モジュールを含み、
前記第二構成モジュールは、前記ユーザーの選択可能な位置及び前記ユーザーの実際の分布に基づいて、前記端末の類型を構成し、前記第一選択可能な位置上では、端末の類型が前記第1類端末であるように構成し、前記第1類端末は、前記ユーザーが携帯する端末であり、ユーザーが構成されない第二選択可能な位置上では、端末の類型が前記第2類端末であるように構成し、
前記第三構成モジュールは、前記ユーザーの選択可能な位置に基づいて端末の分布を構成し、各前記ユーザーの選択可能な位置上で少なくとも1つの端末を構成し、各ユーザーのためにM個の端末を構成し、Mは1以上であり、Mは正整数である、装置。
【請求項４】
請求項3に記載の装置であって、
第三構成ユニットをさらに含み、
前記第三構成ユニットは、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成する、装置。
【請求項５】
請求項4に記載の装置であって、
前記第三構成ユニットは、第一判断モジュール、第四構成モジュール、第二判断モジュール、及び第五構成モジュールを含み、
前記第一判断モジュールは、所定の第一移動確率に基づいて、前記ユーザーが移動するかを判断し、また、第1類端末により占用されない第二選択可能な位置があるかを判断し、
前記第四構成モジュールは、前記第一判断モジュールにより、移動すると判断され、且つ、第1類端末により占用されない第二選択可能な位置があるときに、前記ユーザーがその所在する第一選択可能な位置から前記第二選択可能な位置に移動するように構成し、
前記第二判断モジュールは、所定の第二移動確率に基づいて、前記ユーザーが携帯する第1類端末が移動するかを判断し、また、前記ユーザーの移動先である前記第二選択可能な位置が、M個を超えた第1類端末により占用されないかを判断し、
前記第五構成モジュールは、前記第二判断モジュールにより、移動すると判断され、且つ、前記ユーザーの移動先である前記第二選択可能な位置が、M個を超えた第1類端末により占用されないときに、前記ユーザーが携帯する第1類端末が前記ユーザーと伴って前記第二選択可能な位置に移動するように構成する、装置。
【請求項６】
無線ネットワーク計画装置であって、
第一生成ユニット、第四構成ユニット及び第一処理ユニットを含み、
前記第一生成ユニットは、ユーザーが入力した情報に基づいて、第一計画方案集を生成し、
前記第四構成ユニットは、計画待ち領域中のユーザーの数量及びユーザーの選択可能な位置に基づいて、ユーザーの実際の分布を構成し、また、ユーザーの選択可能な位置及び/又は前記ユーザーの実際の分布に基づいて、端末の類型及び分布を構成することにより、少なくとも１つの無線ネットワークの応用シナリオを取得し、前記端末の類型は、第1類端末及び第2類端末を含み、前記第1類端末とは、該第1類端末がAP（access  point）をアクセスした後に、前記APが前記第1類端末を、アクセスしている端末の総数に累加する端末を指し、前記第2類端末とは、前記第2類端末がAPをアクセスした後に、前記APが前記第2類端末を、アクセスしている端末の総数に累加しない端末を指し、
前記第一処理ユニットは、前記第四構成ユニットが構成した各無線ネットワークの応用シナリオについて、前記第一計画方案集の中の各計画方案のネットワークパフォーマンスを計算し、所定条件を満足した計画方案を最終計画方案と確定する、装置。
【請求項７】
請求項6に記載の装置であって、
前記第四構成ユニットはさらに、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成することにより、少なくとも１つの無線ネットワークの応用シナリオを取得する、装置。
【請求項８】
請求項6に記載の装置であって、
前記所定条件は、複数の無線ネットワークの応用シナリオの全部又は一部の目標又は制約に関するネットワーク総パフォーマンスが所定のネットワークのニーズを満足することである、装置。
【請求項９】
請求項8に記載の装置であって、
前記ネットワーク総パフォーマンスは、
【数１】
0006686831.tif 000006
により計算され、
ηiは、第i個目の目標又は制約に関するネットワーク総パフォーマンスであり、nは、無線ネットワークの応用シナリオの数量であり、ωjは、第j個目のシナリオの重みであり、θjは、第j個目のシナリオの該目標又は制約に関するネットワークパフォーマンスであり、
無線ネットワーク計画時にトータルでq個の目標又は制約が設けられ、qは、正整数であり、前記iは、1〜qの間の任意の正整数である、装置。
【請求項１０】
無線ネットワーク計画装置であって、
第二生成ユニット、第五構成ユニット、及び第二処理ユニットを含み、
前記第二生成ユニットは、ユーザーが入力した情報に基づいて、第一計画方案集を生成し、
前記第五構成ユニットは、無線ネットワークの応用シナリオを構成し、
前記第二処理ユニットは、第五構成ユニットが構成した無線ネットワークの応用シナリオについて、前記第一計画方案集の中の各計画方案のネットワークパフォーマンスを計算し、第一所定条件を満足したときに、ユーザーの選択可能な位置、ユーザーの実際の分布、端末の類型及び、端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成し、そして、各計画方案の異なるユーザー及び端末の移動方式下でのネットワークパフォーマンスを計算し、第二所定条件を満足した計画方案を最終計画方案と確定する、装置。
【発明の詳細な説明】
【技術分野】
【０００１】
本発明は、通信技術分野に関し、特に、ネットワーク計画の応用シナリオを構成する方法及び装置並びに無線ネットワーク計画方法及び装置に関する。
【背景技術】
【０００２】
WLAN（Wireless  Local  Area  Networks、WLAN）は、コストが低く、構成が柔軟であるなど特徴を有するため、幅広く応用されている。優れたネットワークパフォーマンスを取得するために、ネットワーク設計段階では、WLANネットワーク計画技術を応用する必要があり、WLANネットワーク計画技術は、ネットワークを実際に配置する前に、ユーザーのために、AP（Access  point）の数量、位置、使用するチャネル、及び送信パワーなどを含む計画方案を提供するために用いられ、また、該計画方案のネットワークパフォーマンスを推定することもできる。
【０００３】
今のところ、無線ネットワーク計画を行う時に、先ず、ユーザーが入力した無線計画ネットワークの関連情報を受信し；ユーザーが入力した情報に基づいて、無線ネットワーク計画方案を生成し；その後、ネットワーク計画応用シナリオを構成し；生成された計画方案の該無線ネットワークの応用シナリオ下でのネットワークパフォーマンスを推定し；推定されたネットワークパフォーマンスがユーザーのニーズを満足するかを判断し、ユーザーのニーズを満足した時に、現在に生成された無線ネットワーク計画方案を最終無線ネットワーク計画方案と確定し、ユーザーのニーズを満足しない時に、新しい無線ネットワーク計画方案を再生成する。
【発明の概要】
【発明が解決しようとする課題】
【０００４】
今のところ、無線ネットワーク計画を行う時に、構成された応用シナリオが比較的簡単であり、また、通常、固定されたものであり、例えば、構成された応用シナリオは、計画待ち領域に設置されたユーザーの選択可能な位置上で全てユーザーを構成し、且つ各ユーザーが携帯する端末が全て同時に無線ネットワークをアクセスすると仮定するものである。しかし、このような構成方法は、実際の状況に符合する応用シナリオを正確に反映することができないため、ネットワークパフォーマンスを正確に推定することができず、これにより、ネットワーク計画が失当であり、ネットワークパフォーマンスが悪く、また、アフター建設コストが増加してしまうといった問題を引き起こすことがある。
【０００５】
本発明の目的は、実際の状況に正確に符合する応用シナリオを構成し、また、該応用シナリオ下でのネットワーク計画方案のネットワークパフォーマンスを正確に推定することができ、これにより、ネットワーク計画が妥当であり、また、建設コストを節約するようにさせることができる、ネットワーク計画の応用シナリオを構成する方法並びに無線ネットワーク計画方法及びその装置を提供することにある。
【課題を解決するための手段】
【０００６】
本発明の上述した目的は、次の技術方案により実現され得る。
【０００７】
本発明の第一側面によれば、ネットワーク計画の応用シナリオを構成する装置が提供され、そのうち、該装置は、第一構成ユニット及び第二構成ユニットを含み、
前記第一構成ユニットは、計画待ち領域中のユーザーの数量及びユーザーの選択可能な位置に基づいて、ユーザーの実際の分布を構成し、
前記第二構成ユニットは、ユーザーの選択可能な位置及び/又は前記ユーザーの実際の分布に基づいて、端末の類型及び分布を構成し、これにより、ネットワーク計画の応用シナリオを取得し、
そのうち、前記端末の類型は、第1類端末及び第2類端末を含み、前記第1類端末とは、該第1類端末がAPをアクセスした後に、前記APが、前記第1類端末を、アクセスした端末の総数に累加する端末を指し、前記第2類端末とは、前記第2類端末がAPをアクセスし後に、前記APが、前記第2類端末を、アクセスした端末の総数に累加しない端末を指す。
【０００８】
本発明の第二側面によれば、無線ネットワーク計画装置が提供され、そのうち、該装置は、第一生成ユニット、第四構成ユニット及び第一処理ユニットを含み、
前記第一生成ユニットは、ユーザー入力情報に基づいて、第一計画方案集を生成し、
前記第四構成ユニットは、計画待ち領域中のユーザーの数量及びユーザーの選択可能な位置に基づいて、ユーザーの実際の分布を構成し、また、ユーザーの選択可能な位置及び/又は前記ユーザーの実際の分布に基づいて、端末の類型及び分布を構成し、これにより、少なくとも１つの無線ネットワークの応用シナリオを取得し、そのうち、前記端末の類型は、第1類端末及び第2類端末を含み、前記第1類端末とは、該第1類端末がAPをアクセスした後、前記APが、前記第1類端末を、アクセスした端末の総数に累加する端末を指し、前記第2類端末とは、前記第2類端末がAPをアクセスし後に、前記APが、前記第2類端末を、アクセスした端末の総数に累加しない端末を指し、
前記第一処理ユニットは、前記第四構成ユニットが構成した各無線ネットワークの応用シナリオについて、前記第一計画方案集の中の各計画方案のネットワークパフォーマンスを計算し、所定条件を満足した計画方案を最終計画方案と確定する。
【０００９】
本発明の第三側面によれば、無線ネットワーク計画装置が提供され、そのうち、該装置は、第二生成ユニット、第五構成ユニット及び第二処理ユニットを含み、
前記第二生成ユニットは、ユーザー入力情報に基づいて、第一計画方案集を生成し、
前記第五構成ユニットは、無線ネットワークの応用シナリオを構成し、
前記第二処理ユニットは、第五構成ユニットが構成した無線ネットワークの応用シナリオについて、前記第一計画方案集の中の各計画方案のネットワークパフォーマンスを計算し、第一所定条件を満足したときに、ユーザーの選択可能な位置、ユーザーの実際の分布、端末の類型、及び端末の分布に基づいて、ユーザーがその所在する第一選択可能な位置から第1類端末により占用されていない第二選択可能な位置に移動するかを構成し、また、前記ユーザーが移動すると構成したときに、前記ユーザーが携帯する第1類端末が、前記ユーザーと伴って第1類端末により占用されていない前記第二選択可能な位置に移動するかを構成し、そして、各計画方案の異なるユーザー及び端末の移動方式下でのネットワークパフォーマンスを計算し、第二所定条件を満足した計画方案を最終計画方案と確定する。
【００１０】
本発明の実施例の有益な効果は、上述の方法及び装置により、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成することにより、実際の状況に正確に符合する応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【図面の簡単な説明】
【００１１】
【図１】実施例1においてネットワーク計画の応用シナリオを構成する方法のフローチャートである。
【図２】実施例1におけるステップ101の具体的な実施方式のフローチャートである。
【図３】実施例1におけるステップ102の具体的な実施方式のフローチャートである。
【図４】実施例2においてネットワーク計画の応用シナリオを構成する方法のフローチャートである。
【図５】実施例2におけるステップ403の具体的な実施方式のフローチャートである。
【図６】実施例2における計画待ち領域の平面図である。
【図７Ａ】実施例2におけるユーザーの選択可能な位置の構成を示す図である。
【図７Ｂ】実施例2におけるユーザーの実際の分布の構成を示す図である。
【図８】実施例2における端末類型及び分布の構成を示す図である。
【図９】実施例2におけるユーザー及び端末移動性の構成を示す図である。
【図１０】実施例3における無線ネットワーク計画方法のフローチャートである。
【図１１】実施例4における無線ネットワーク計画方法のフローチャートである。
【図１２】本実施例5においてネットワーク計画の応用シナリオを構成する装置の一実施方式の構成図である。
【図１３】実施例5における第一構成ユニットの一実施方式の構成図である。
【図１４】実施例5における第二構成ユニットの一実施方式の構成図である。
【図１５】本実施例5においてネットワーク計画の応用シナリオを構成する装置の一実施方式の構成図である。
【図１６】実施例5における第三構成ユニットの一実施方式の構成図である。
【図１７】実施例5においてネットワーク計画の応用シナリオを構成する装置の一実施方式の構成図である。
【図１８】実施例6における無線ネットワーク計画装置の一実施方式の構成図である。
【図１９】実施例6における無線ネットワーク計画装置の一実施方式の構成図である。
【図２０】実施例7における無線ネットワーク計画装置の一実施方式の構成図である。
【図２１】実施例7における無線ネットワーク計画装置の一実施方式の構成図である。
【発明を実施するための形態】
【００１２】
以下、添付した図面を参照しながら、本発明を実施するための形態を詳細に説明する。なお、本発明の実施例は、WLANネットワークを例として説明したが、WLANネットワークに限定されず、他の無線ネットワークに適用することもできる。
【実施例１】
【００１３】
図1は、本発明の実施例1におけるネットワーク計画の応用シナリオの構成方法のフローチャートである。図1に示すように、該方法は、次のステップを含み、即ち、
ステップ101：計画待ち領域中のユーザーの数量及びユーザーの選択可能な位置に基づいて、ユーザーの実際の分布を構成し；
ステップ102：ユーザーの選択可能な位置及び/又は前記ユーザーの実際の分布に基づいて、端末の類型及び分布を構成し、これにより、ネットワーク計画の応用シナリオを取得し；
そのうち、該端末の類型は、第1類端末及び第2類端末を含み、該第1類端末とは、該第1類端末がAPをアクセスした後に、該APが、該第1類端末を、アクセスした端末の総数に累加する端末を指し、該第2類端末とは、該第2類端末がAPをアクセスし後に、該APが、該第2類端末を、アクセスした端末の総数に累加しない端末を指す。
【００１４】
本実施例では、該ユーザーの数量とは、計画待ち領域中のユーザーの実際の数量を指し、そのうち、該ユーザーの数量は、計画待ち領域中の人員の総数又は顧客の流量に基づいて確定されても良く、例えば、オフィスなどのような、人が頻繁に移動しない領域では、スタッフの総数をユーザーの数量としても良く、デパートや屋外などのような、人が頻繁に移動する領域では、顧客の流量などに基づいてユーザーの数量を確定しても良い。
【００１５】
本実施例では、該ユーザーの選択可能な位置とは、計画待ち領域中のユーザーを構成し得る位置を指し、計画待ち領域の実際の使用状況に応じて確定されても良く、例えば、オフィスや会議室、映画館などのような領域では、座席の位置に基づいて、ユーザーの選択可能な位置を確定しても良く、各座席は、１つの選択可能な位置を表し、また、デパートや屋外などのような領域では、ユーザーの密度に基づいて、ユーザーの選択可能な位置の総数を推定しても良く、その後、推定された選択可能な位置の総数をサンプリングポイントの総数とし、計画待ち領域中で一定のステップ長さに従ってサンプリングすることで、ユーザーの選択可能な位置を確定することができる。
【００１６】
この実施例から分かるように、ユーザーの実際の分布の構成は、計画待ち領域中のユーザーの数量から出発して、ユーザーの選択可能な位置から選択的に幾つかの位置を選択することでユーザーを構成するものであり、端末の類型及び分布の構成は、該ユーザーの選択可能な位置上で端末を構成し、また、端末の類型を定義するものである。
【００１７】
本実施例における方法により、ネットワーク計画の応用シナリオを構成する時に、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【００１８】
以下、添付した図面を参照しながら、ユーザーの実際の分布並びに端末の類型及び分布の構成について詳細に説明する。
【００１９】
図2は、本実施例中のステップ101の１つの実施方式のフローチャートである。図2に示すように、ステップ101中のユーザーの実際の分布を構成することは、次のステップを含む。
【００２０】
ステップ201：該計画待ち領域中でユーザーの選択可能な位置を構成し；
ステップ202：該ユーザーの選択可能な位置から、該ユーザーの数量と同じ数量の第一選択可能な位置を選択し、そして、選択された第一選択可能な位置上でユーザーを構成し、これにより、ユーザーの実際の分布を取得する。
【００２１】
本実施例では、ユーザーの実際の分布を構成する時に、先ず、ユーザーのN個の選択可能な位置を構成し、選択可能な位置の具体的な確定方式は、上述のようであるため、ここでは重複説明が省略される。なお、計画待ち領域の実際のユーザー数量がKであり、そのうち、N＞Kであると仮定する。次に、N個の選択可能な位置からK個の選択可能な位置を選択し、各位置について１つのユーザーを構成し、ユーザーが構成されたK個の選択可能な位置は、上述の第一選択可能な位置であり、ユーザーが構成されないN-K個の選択可能な位置は、上述の第二選択可能な位置であり、これにより、ユーザーの実際の分布を得ることができる。
【００２２】
本実施例では、ユーザーの実際の分布を得た後に、端末の類型及び分布の構成を行うことができる。図3は、本実施例中のステップ102の１つの実施方式のフローチャートである。図3に示すように、ステップ102において端末の類型及び分布を構成することは、次のステップを含む。
【００２３】
ステップ301：該ユーザーの選択可能な位置及び該ユーザーの実際の分布に基づいて、該端末の類型を構成し、そのうち、該第一選択可能な位置上では、端末の類型が該第1類端末であるように構成し、該第1類端末は、該ユーザーが携帯する端末であり、ユーザーが構成されない第二選択可能な位置上では、端末の類型が該第2類端末であるように構成し；
ステップ302：該ユーザーの選択可能な位置に基づいて端末の分布を構成し、そのうち、各ユーザーの選択可能な位置上で少なくとも1つの端末を構成し、各ユーザーのためにM個の端末を構成し、そのうち、Mは所定のものであり、1以上の正整数であっても良い。
【００２４】
本実施例では、ステップ301では、端末の類型を構成する目的は、各ユーザーが携帯する端末のために属性を構成することで、該端末がカバレッジを満足するために設置される仮想端末であるか、それとも、実際に存在する端末であるかを区別し、これにより、実際の状況に符合する応用シナリオを構成し得ることにある。本実施例では、端末は、第1類端末及び第2類端末を含み、端末の類型は、ユーザーの選択可能な位置上でユーザーが構成されているかに基づいて決定され、ユーザーが構成されている第一選択可能な位置上では、端末の類型が第1類端末であるように構成し、該第1類端末がユーザーにより携帯され、実際に存在する端末であることを示し；ユーザーが構成されない第二選択可能な位置上では、端末の類型が第2類端末であるように構成し、該第二選択可能な位置で構成されたのが仮想端末であることを示す。
【００２５】
本実施例では、ステップ302において各ユーザーのためにM個の端末を構成し、Mは、ニーズに応じて設定されても良く、本実施例はこれに限定されない。
【００２６】
本実施例における方法により、ネットワーク計画の応用シナリオを構成する時に、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【実施例２】
【００２７】
本実施例2はネットワーク計画の応用シナリオの構成方法を提供する。実施例1をもとに、実際の応用シナリオ中でユーザー及び端末の位置が変化する可能性があることを考慮して、例えば、オフィスのスタッフが固定座席から会議室の座席に移動することを考慮して、本実施例では、ユーザーの実際の分布並びに端末の類型及び分布を構成するだけでなく、ユーザー及び端末の移動性も構成し、これにより、構成された応用シナリオは、実際の状況により良く符合することができる。
【００２８】
図4は、本発明の実施例2におけるネットワーク計画の応用シナリオの構成方法のフローチャートである。図4に示すように、ステップ401及びステップ402は実施例1のステップ101及び102と同じであるため、ここではその詳しい説明を省略する。
【００２９】
ステップ403：該ユーザーの選択可能な位置、ユーザーの実際の分布、端末の類型、及び端末の分布に基づいて、ユーザー及び端末の移動性を構成し、即ち、ユーザーがその所在する第一選択可能な位置から、第1類端末により占用されていない第二選択可能な位置に移動するかを構成し、また、該ユーザーが移動すると構成した時に、該ユーザーが携帯する第1類端末が、該ユーザー移動と伴って第1類端末により占用されていない第二選択可能な位置に移動するかを構成する。
【００３０】
図5は、本実施例のステップ403の１つの実施方式のフローチャートである。図5に示すように、ステップ403でユーザー及び端末の移動性を構成することは、次のステップを含む。
【００３１】
ステップ501：所定の第一移動確率に基づいて、該ユーザーが移動すると判断し、且つ、第1類端末により占用されない第二選択可能な位置が依然としてある時に、ユーザーがその所在する第一選択可能な位置から該第二選択可能な位置に移動するように構成し；
ステップ502：所定の第二移動確率に基づいて、該ユーザーが携帯する第1類端末が移動すると判断し、且つ、該ユーザーの移動先である該第二選択可能な位置が、M個を超えた第1類端末により占用されない時に、該端末が該ユーザー移動と伴って該第二選択可能な位置に移動するように構成する。
【００３２】
本実施例では、ステップ501は、ユーザーの移動性を構成し、そのうち、各選択可能な位置は、最大で１つのユーザーにより同時に占用され、各ユーザーの第一移動確率は、同じであっても良く異なっても良い。１つの実施方式では、次のような方式で該ユーザーが移動するかを判断することができ、即ち、ユーザーiのために(0、1)の間のランダムな数値を生成し、該ランダムな数値が該ユーザーiの第一移動確率Siよりも小さい場合、移動すると判断し、そうでない場合、移動しないと判断する。そのうち、移動し得ると判断し、且つ、第1類端末により占用されない第二選択可能な位置が依然として存在する場合、該ユーザーがその所在する第一選択可能な位置から該第二選択可能な位置に移動するように構成し、それでない場合、ユーザーが移動しない。
【００３３】
本実施例では、ステップ502は、端末の移動性を構成し、そのうち、各ユーザーが携帯する第1類端末の第二移動確率は、同じであっても良く異なっても良い。１つの実施方式では、次のような方式で端末が移動するかを判断することができ、即ち、ユーザーiのために(0、1)の間のランダムな数値を生成し、該ランダムな数値が該第1類端末の第二移動確率Piより小さい場合、移動すると判断し、そうでな場合、移動しないと判断する。そのうち、移動すると判断し、且つ該第二選択可能な位置が、M個を超えた第1類端末により占用されない場合、該端末が該ユーザーと伴って該第二選択可能な位置に移動するように構成し、そうでない場合、端末が移動しない。本実施例では、各選択可能な位置は、最大で、同一ユーザーに属するM個の第1類端末により占用され、該第1類端末は、第2類端末に占用されている第二選択可能な位置に移動することができる。
【００３４】
本実施例では、該第一移動確率及び第二移動確率は、ニーズに応じて予め設定されても良く、本実施例はこれに限定されない。
【００３５】
本実施例における方法により、ネットワーク計画の応用シナリオを構成する時に、ユーザーの実際の分布並びに端末の類型及び分布を構成する以外に、ユーザー及び端末の移動性も構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【００３６】
以下、図6〜9をもとに、図4を参照しながら、本実施例中の応用シナリオの構成方法について説明する。
【００３７】
図6は、本実施例中の計画待ち領域の平面図であり、図7Aは、本実施例中のユーザーの選択可能な位置の構成を示す図であり、図7Bは、本実施例中のユーザーの実際の分布の構成を示す図であり、図8は、本実施例中の端末類型及び分布の構成を示す図であり、図9は、本実施例中のユーザー及び端末移動性の構成を示す図である。
【００３８】
図6に示すように、計画待ち領域は、某会社の作業場であり、該作業場の領域上では、スタッフのオフィス1及び2、会議室、多目的室、倉庫が設置され、該会社のスタッフの数量は14人であり、倉庫中には座席が設置されないとする。
【００３９】
応用シナリオを構成する時に、ステップ401を実行して、計画待ち領域中のユーザーの数量及びユーザーの選択可能な位置に基づいてユーザーの実際の分布を構成することは、
前記計画待ち領域中でユーザーの選択可能な位置を構成し、即ち、オフィス1及び2、会議室、多目的室中の各座席をユーザーの選択可能な位置と構成し、図7Aに示すように、オフィス1では4個の選択可能な位置を構成し、会議室では8個の選択可能な位置を構成し、多目的室では7個の選択可能な位置を構成し、オフィス2では10個の選択可能な位置を構成し；及び
ユーザーの選択可能な位置から、ユーザーの数量と同じ数量の第一選択可能な位置を選択し、そして、選択された第一選択可能な位置上でユーザーを構成し、図7Bに示すように、ユーザーの選択可能な位置から、ユーザー数量と同じである第一選択可能な位置を選択し、例えば、オフィス1及び2の固定座席を第一選択可能な位置とし、各固定座席上でユーザーを構成し、また、該会議室及び多目的室の座席上でユーザーを構成せず、ユーザーが構成されない座席を第二選択可能な位置とし、これにより、ユーザーの実際の分布を取得することを含む。
【００４０】
ユーザーの実際の分布を得た後に、ステップ402を実行して、ユーザーの選択可能な位置及び/又は前記ユーザーの実際の分布に基づいて端末の類型及び分布を構成する。例えば、図8に示すように、各ユーザーに1つの端末を携帯させ（持たせ）、ユーザーが構成されている第一選択可能な位置、即ち、オフィス1及び2の固定座席上で1つの第1類端末を、ユーザーが構成されない第二選択可能な位置、例えば、会議室、多目的室などの位置上で1つの第2類端末をそれぞれ構成する。
【００４１】
端末の類型及び分布を得た後に、ステップ403を実行して、該ユーザーの選択可能な位置、ユーザーの実際の分布、端末の類型、及び端末の分布に基づいて、ユーザー及び端末の移動性を構成する。例えば、図9に示すように、第一移動確率に基づいて、一部のユーザーが移動すると確定する時に、一部のユーザーの位置を、オフィス1及び/又は2の固定座席から、第1類端末により占用されない会議室、多目的室の座席に移動させ、ユーザー移動性の構成を完成し、また、第二移動確率に基づいて、ユーザーが携帯する第1類端末が移動すると判断し、且つ、該会議室、多目的室の座席がM（例えば、1）個を超えた第1類端末により占用されない時に、その携帯する端末をも会議室、多目的室の対応位置に移動させ、そのうち、同一の選択可能な位置は、第1類端末及び第2類端末により同時に占用されても良い。
【００４２】
本実施例における方法により、ネットワーク計画の応用シナリオを構成する時に、ユーザーの実際の分布並びに端末の類型及び分布を構成する以外に、ユーザー及び端末の移動性も構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【実施例３】
【００４３】
本発明の実施例3はさらに無線ネットワーク計画方法を提供する。図10、本実施例3中の無線ネットワーク計画方法のフローチャートである。図10に示すように、該方法は、次のステップを含む。
【００４４】
ステップ1001：ユーザー入力情報に基づいて、第一計画方案集を生成し；
ステップ1002：計画待ち領域中のユーザーの数量及びユーザーの選択可能な位置に基づいてユーザーの実際の分布を構成し、また、ユーザーの選択可能な位置及び/又は該ユーザーの実際の分布に基づいて端末の類型及び分布を構成し、これにより、少なくとも１つの無線ネットワークの応用シナリオを取得し、そのうち、該端末の類型は、第1類端末及び第2類端末を含み、該第1類端末とは、該第1類端末がAPをアクセスした後に、該APが、該第1類端末を、アクセスした端末の総数に累加する端末を指し、該第2類端末とは、該第2類端末がAPをアクセスした後に、該APが、該第2類端末を、アクセスした端末の総数に累加しない端末を指し；
ステップ1003：構成された各無線ネットワークの応用シナリオについて、該第一計画方案集の中の各計画方案のネットワークパフォーマンスを計算し、所定条件を満足した計画方案を最終計画方案と確定する。
【００４５】
本発明の実施例における方法により、計画待ち領域中のユーザーの数量及びユーザーの選択可能な位置に基づいてユーザーの実際の分布を構成し、ユーザーの選択可能な位置及び/又は前記ユーザーの実際の分布に基づいて端末の類型及び分布を構成することで、ネットワーク計画の応用シナリオを取得し、そして、取得された計画方案の上述の応用シナリオ中でのネットワークパフォーマンスを計算し、これにより、実際の状況により良く符合するネットワーク応用シナリオを構成することができ、また、該応用シナリオ下でのネットワーク計画方案のネットワークパフォーマンスをより正確に推定することもできる。これにより、ネットワーク計画が妥当であり、建設コストを節約するようにさせることができる。
【００４６】
本実施例のステップ1001では、ユーザーは、無線ネットワーク計画の基本情報、例えば、計画待ち領域の基本情報（平面図、大小、形状など）、APの類型及び属性（該AP属性は、アンテナ、送信パワー、コストなどの情報を含み、該AP類型は、具体的に構成されたAPのシリアル番号であっても良い）、計画待ち領域の障碍物、並びに、壁の位置及び材質などの情報を入力する必要がある。上述の情報に基づいて、第一計画方案集を生成することができ、そのうち、該第一計画方案集は、従来の技術で生成することができるが、本実施例は、これに限定されず、例えば、まず、初期計画方案集をランダムに生成し、該初期計画方案集を得た後に、遺伝的アルゴリズムに基づいて該初期計画方案集に対して処理を行い、所定の終止条件を満足した時に、該第一計画方案集を取得するができる。
【００４７】
本実施例のステップ1002では、少なくとも１つの無線ネットワークの応用シナリオを構成し、そのうち、各応用シナリオの構成方法は、実施例1又は2を参照することができ、ここでは、重複説明が省略される。本実施例では、該ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザー移動とともに第1類端末により占用されない第二選択可能な位置に移動するかを構成し、これにより、少なくとも１つの無線ネットワークの応用シナリオを得ることができ、そのうち、少なくとも１つの無線ネットワークの応用シナリオは、それぞれ、ユーザー及び端末の異なる移動状態に対応する。
【００４８】
本実施例のステップ1003では、ステップ1002で構成された少なくとも１つの応用シナリオ中で、第一計画方案集の中の各計画方案の異なる応用シナリオ下のネットワークパフォーマンスを推定し、所定条件を満足した計画方案を最終計画方案と確定する。
【００４９】
１つの実施方式では、該所定条件は、複数の無線ネットワークの応用シナリオの全部又は一部の目標又は制約のネットワーク総パフォーマンスが所定のネットワークのニーズを満足することであっても良い。
【００５０】
そのうち、推定されたネットワークパフォーマンスは、該計画方案中で各APが送信した信号が、計画待ち環境中のある位置に到着したときの受信信号の強度、ネットワークディレイ、スループットなどのネットワークパフォーマンスを含み、例えば、q個のネットワークパフォーマンスの目標又は制約を設置しても良く、本実施例では、第一計画方案集の中の各計画方案の異なる応用シナリオ下での第i個目の目標又は制約についてのネットワークパフォーマンスを推定した後に、各計画方案の、第i個目の目標又は制約についてのネットワーク総パフォーマンスを得ることができ、例えば、該総パフォーマンスは、次の公式（1）で計算することができ、即ち、
【数１】
0006686831.tif 000002
【００５１】
である。
【００５２】
そのうち、ηiは、第i個目の目標又は制約のネットワーク総パフォーマンスであり、nは、無線ネットワークの応用シナリオの数量であり、ωjは、第j個目のシナリオの重みであり、θjは、第j個目のシナリオの該目標又は制約のネットワークパフォーマンスであり、iは、1〜qの中の正整数であり、そのうち、n、ωj、qは、ニーズに応じて任意に設置されても良く、本実施例はこれに限定されない。
【００５３】
そのうち、例えば、ある計画方案については、q個の目標又は制約のネットワーク総パフォーマンス、即ち、η1、…、ηi、…ηqを計算した後に、このq個の総パフォーマンスが全てネットワークのニーズを満足し、又は、このq個の総パフォーマンスのうちの所定数量の総パフォーマンスがネットワークのニーズを満足した時に、該計画方案を最終計画方案と確定することができ、該所定数量はニーズに応じて設定されても良いが、本実施例はこれに限定されない。
【００５４】
１つの実施方式では、該所定条件は、所定数量の応用シナリオのネットワークパフォーマンスがネットワークのニーズを満足することであっても良い。例えば、nは無線ネットワークの応用シナリオの数量であり、ある計画方案については、m（mはn以下の正整数である）個の応用シナリオのネットワークパフォーマンスがネットワークのニーズを満足すれば、該計画方案を最終計画方案と確定することができる。
【００５５】
本実施例では、所定条件を満足しない時に、第一計画方案集を再生成し、そして、ステップ1002及び1003を繰り返して実行することができる。
【００５６】
本発明の実施例における方法により、ネットワーク計画の応用シナリオを構成する時に、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することもできる。これによりネットワーク計画が妥当であり、建設コストを節約するようにさせることができる。
【実施例４】
【００５７】
本発明の実施例4はさらに無線ネットワーク計画方法を提供する。図11は、本実施例の無線ネットワーク計画方法のフローチャートである。図11に示すように、該方法は、次のステップを含む。
【００５８】
ステップ1101：ユーザー入力情報に基づいて、第一計画方案集を生成し；
ステップ1102：無線ネットワークの応用シナリオを構成し；
ステップ1103：構成された無線ネットワークの応用シナリオについて、該第一計画方案集の中の各計画方案のネットワークパフォーマンスを計算し、第一所定条件を満足した時に、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザー移動と伴って第1類端末により占用されない第二選択可能な位置に移動するかを構成し、そして、各計画方案の異なるユーザー及び端末の移動方式下でのネットワークパフォーマンスを計算し、第二所定条件を満足した計画方案を最終計画方案と確定する。
【００５９】
本発明の実施例における方法により、ネットワークパフォーマンス推定時に、ユーザー及び端末の移動性を考慮することにより、ネットワーク計画方案のネットワークパフォーマンスをより正確に推定することができ、計算速度を向上させることもできる。これにより、ネットワーク計画が妥当であり、また、建設コストを節約するようにさせることができる。
【００６０】
本実施例では、ステップ1101の具体的な実施方式は、実施例2中のステップ1001を参照することができ、ステップ1102の無線ネットワークの応用シナリオは、従来の技術により構成されても良く、本実施例1又は2中の方法により構成されても良いが、本実施例はこれに限定されない。
【００６１】
本実施例では、ステップ1103において、ある計画方案のネットワークパフォーマンスが第一所定条件を満足した時に、ユーザー及び端末の移動性を構成し、そのうち、第一所定条件は、算出されたネットワークパフォーマンスが所定のネットワークのニーズを満足することであっても良く、ユーザー及び端末移動性の構成方法は、実施例2中のステップ403を参照することができるため、ここでは重複説明が省略される。
【００６２】
本実施例では、第一所定条件及び第二所定条件を満足しない時に、第一計画方案集を再生成し、そして、ステップ1102及び1103（図示せず）を繰り返して実行することができる。
【００６３】
本実施例では、応用シナリオ構成時にユーザー及び端末の移動性を考慮せず、ネットワークパフォーマンス推定時にユーザー及び端末の移動性を考慮して、それぞれ、各計画方案の異なるユーザー及び端末の移動方式下でのネットワークパフォーマンスを計算し、第二所定条件を満足した計画方案を最終計画方案と確定する。そのうち、該第二所定条件の設定方式は、実施例2中の所定条件の設定方式を参照することができるため、ここでは重複説明が省略される。
【００６４】
本発明の実施例における方法により、ネットワークパフォーマンス推定時に、ユーザー及び端末の移動性を考慮することにより、ネットワーク計画方案のネットワークパフォーマンスをより正確に推定することができ、計算速度を向上させることもできる。これにより、ネットワーク計画が妥当であり、建設コストを節約するようにさせることができる。
【実施例５】
【００６５】
本発明の実施例5はさらにネットワーク計画の応用シナリオの構成装置を提供し、該装置が問題を解決する原理は実施例1及び2の方法と同様であるため、その具体的な実施は、実施例1及び2の方法の実施を参照することができるため、ここでは重複記載が省略される。
【００６６】
図12は、本実施例中のネットワーク計画の応用シナリオの構成装置の一実施方式の構成図である。該装置1200は、次のものを含む。
【００６７】
第一構成ユニット1201：計画待ち領域中のユーザーの数量及びユーザーの選択可能な位置に基づいてユーザーの実際の分布を構成し；
第二構成ユニット1202：ユーザーの選択可能な位置及び/又は該ユーザーの実際の分布に基づいて端末の類型及び分布を構成し、これにより、ネットワーク計画の応用シナリオを取得し；
そのうち、該端末の類型は、第1類端末及び第2類端末を含み、該第1類端末とは、該第1類端末がAPをアクセスした後に、該APが、該第1類端末を、アクセスした端末の総数に累加する端末を指し、該第2類端末とは、該第2類端末がAPをアクセスした後に、該APが、該第2類端末を、アクセスした端末の総数に累加しない端末を指す。
【００６８】
本発明の実施例における装置により、ネットワーク計画の応用シナリオを構成する時に、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【００６９】
本実施例では、第一構成ユニット1201及び第二構成ユニット1202の具体的な実施方式は、実施例1中のステップ101〜102を参照することができるため、ここでは重複説明が省略される。
【００７０】
図13は、本実施例中の第一構成ユニット1201の一実施方式の構成図である。該第一構成ユニット1201は、次のものを含む。
【００７１】
第一構成モジュール1301：該計画待ち領域中でユーザーの選択可能な位置を構成し；
第一取得モジュール1302：該ユーザーの選択可能な位置から該ユーザーの数量と同じ数量の第一選択可能な位置を選択し、そして、選択された第一選択可能な位置上でユーザーを構成し、これにより、ユーザーの実際の分布を取得する。
【００７２】
本実施例では、第一構成モジュール1301及び第一取得モジュール1302の具体的な実施方式は、実施例1中のステップ201〜202を参照することができるため、ここでは重複説明が省略される。
【００７３】
図14は、本実施例中の第二構成ユニット1202の一実施方式の構成図である。該第二構成ユニット1202は、次のものを含む。
【００７４】
第二構成モジュール1401：該ユーザーの選択可能な位置及び該ユーザーの実際の分布に基づいて該端末の類型を構成し、そのうち、該第一選択可能な位置上では、端末の類型が該第1類端末であるように構成し、該第1類端末は該ユーザーが携帯する端末であり、ユーザーが構成されない第二選択可能な位置上では、端末の類型が該第2類端末であるように構成し；
第三構成モジュール1402：該ユーザーの選択可能な位置に基づいて端末の分布を構成し、そのうち、各ユーザーの選択可能な位置上で少なくとも1つの端末を構成し、各ユーザーのためにM個の端末を構成し、そのうち、Mは所定のものであり、1以上の正整数であっても良い。
【００７５】
本実施例では、第二構成モジュール1401及び第三構成モジュール1402の具体的な実施方式は、実施例1中のステップ301〜302を参照することができるため、ここでは重複説明が省略される。
【００７６】
図15は、本実施例中のネットワーク計画の応用シナリオの構成装置の一実施方式の構成図である。該装置1500は、第一構成ユニット1501及び第二構成ユニット1502を含み、その具体的な実施方式は、第一構成ユニット1201及び第二構成ユニット1202と同じであるため、ここでは重複説明が省略される。
【００７７】
そのうち、該装置はさらに次のものを含み、即ち、
第三構成ユニット1503：該ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、そして、該ユーザーが移動するように構成した時に、該ユーザーが携帯する第1類端末が該ユーザーと伴って第1類端末により占用されない第二選択可能な位置に移動するかを構成する。
【００７８】
本実施例では、該第三構成ユニット1503の具体的な実施方式は、実施例2中のステップ403を参照することができるため、ここでは重複説明が省略される。
【００７９】
図16は、本実施例中の第三構成ユニット1503の一実施方式の構成図である。図16に示すように、第三構成ユニット1503は、次のものを含む。
【００８０】
第一判断モジュール1601：所定の第一移動確率に基づいて、ユーザーが移動するかを判断し、また、該第1類端末により占用されない第二選択可能な位置が依然としてあるかを判断し；
第四構成モジュール1602：該第一判断モジュールにより、移動すると判断され、且つ、第1類端末により占用されない第二選択可能な位置が依然としてある時に、該ユーザーがその所在する第一選択可能な位置から該第二選択可能な位置に移動するように構成し；
第二判断モジュール1603：所定の第二移動確率に基づいて、該ユーザーが携帯する第1類端末が移動するかを判断し、また、該ユーザーの移動先である該第二選択可能な位置が、M個の超えた第1類端末により占用されないかを判断し；
第五構成モジュール1604：該第二判断モジュールにより、移動すると判断され、且つ、該ユーザーの移動先である該第二選択可能な位置がM個を超えた第1類端末により占用されない場合、該端末が該ユーザー移動と伴って該第二選択可能な位置に移動するように構成する。
【００８１】
本実施例では、第一判断モジュール1601、第四構成モジュール1602、第二判断モジュール1603、第五構成モジュール1604の具体的な実施方式は、実施例2中のステップ501〜504を参照することができるため、ここでは重複説明が省略される。
【００８２】
本発明の実施例における装置により、ネットワーク計画の応用シナリオを構成する時に、ユーザーの実際の分布並びに端末の類型及び分布を構成する以外に、ユーザー及び端末の移動性も構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【００８３】
図17は、本発明の実施例におけるネットワーク計画の応用シナリオの構成装置の１つの実施方式のハードウェア構成図である。図17に示すように、装置1700は、インターフェース（図示せず）、中央処理装置（CPU）1720、及び記憶器1710を含んでも良く、記憶器1710は、中央処理装置1720に結合される。そのうち、記憶器1710は各種のデータを記憶することができ、ネットワーク計画の応用シナリオの構成プログラムを記憶することもでき、中央処理装置1720の制御により該プログラムを実行することができ、さらに、各種の所定値などをも記憶する。
【００８４】
１つの実施方式では、ネットワーク計画の応用シナリオの構成機能は、中央処理装置1720に統合することができる。そのうち、中央処理装置1720は、次のように構成されても良く、即ち、計画待ち領域中のユーザーの数量及びユーザーの選択可能な位置に基づいてユーザーの実際の分布を構成し；ユーザーの選択可能な位置及び/又は該ユーザーの実際の分布に基づいて端末の類型及び分布を構成し、これにより、ネットワーク計画の応用シナリオを取得する。そのうち、該端末の類型は、第1類端末及び第2類端末を含み、該第1類端末とは、該第1類端末がAPをアクセスした後に、該APが、該第1類端末を、アクセスした端末の総数に累加する端末を指し；該第2類端末とは、該第2類端末がAPをアクセスした後に、該APが、該第2類端末を、アクセスした端末の総数に累加しない端末を指す。
【００８５】
そのうち、中央処理装置1720はさらに次のように構成されても良く、即ち、該計画待ち領域中でユーザーの選択可能な位置を構成し；該ユーザーの選択可能な位置から該ユーザーの数量と同じ数量の第一選択可能な位置を選択し、また、選択された第一選択可能な位置上でユーザーを構成し、これにより、ユーザーの実際の分布を取得する。また、該ユーザーの選択可能な位置及び該ユーザーの実際の分布に基づいて該端末の類型を構成し；そのうち、該第一選択可能な位置上では、端末の類型が該第1類端末であると構成し、該第1類端末は該ユーザーが携帯する端末であり；ユーザーが構成されない第二選択可能な位置上では、端末の類型が該第2類端末であると構成し；該ユーザーの選択可能な位置に基づいて端末の分布を構成し；そのうち、各ユーザーの選択可能な位置上で少なくとも1つの端末を構成し、各ユーザーのためにM個の端末を構成し、そのうち、Mは所定のものであり、1以上の正整数であっても良い。
【００８６】
そのうち、中央処理装置1720はさらに次のように構成されても良く、即ち、該ユーザーの選択可能な位置、ユーザーの実際の分布、端末の類型、及び端末の分布に基づいて、ユーザーがその所在する第一選択可能な位置から第1類端末に占用されない第二選択可能な位置に移動するかを構成し、該ユーザーが移動すると構成した時に、該ユーザーが携帯する第1類端末が、該ユーザー移動と伴って第1類端末により占用されない第二選択可能な位置に移動するかを構成する。
【００８７】
そのうち、中央処理装置1720はさらに次のように構成されても良く、所定の第一移動確率に基づいて、ユーザーが移動するかを判断し、また、該第1類端末により占用されない第二選択可能な位置が依然としてあるかを判断し；移動すると判断し、且つ、第1類端末により占用されない第二選択可能な位置が依然としてある時に、該ユーザーがその所在する第一選択可能な位置から該第二選択可能な位置に移動するように構成し；所定の第二移動確率に基づいて、該ユーザーが携帯する第1類端末が移動するかを判断し、該ユーザーの移動先である該第二選択可能な位置が、M個を超えた第1類端末により占用されないかを判断し；移動すると判断し、且つ、該ユーザーの移動先である該第二選択可能な位置がM個を超えた第1類端末により占用されない場合、該端末が該ユーザーと伴って該第二選択可能な位置に移動するように構成する。
【００８８】
もう１つの実施方式では、上述のネットワーク計画の応用シナリオの構成機能を中央処理装置1720に接続されるチップ（図示せず）に構成することもでき、中央処理装置1720の制御によりネットワーク計画の応用シナリオの構成機能を実現することができる。
【００８９】
図17に示すように、装置1700はさらに入力ユニット1730を含み、それは、ユーザーが計画待ち領域の基本情報を入力するためのものであり、また、表示器1740も含み、それは、最終確定の無線ネットワーク計画方案などを表示するために用いられ、そのうち、これらの部品の機能は従来技術と同様であるため、ここではその詳しい説明を省略する。なお、装置1700は必ずしも図17に示す全ての部品を含む必要がない。また、装置1700は、図17に示してない他の部品を含んでも良く、これについては、従来技術を参照することができる。
【００９０】
本発明の実施例における装置により、ネットワーク計画の応用シナリオを構成する時に、ユーザーの実際の分布並びに端末の類型及び分布を構成する以外に、ユーザー及び端末の移動性も構成し、このようにして、実際の状況に符合するネットワーク応用シナリオを構成し、該応用シナリオ下でのネットワーク計画方案のネットワークパフォーマンスを正確に推定することができる、これによりネットワーク計画が妥当であり、建設コストを節約するようにさせることができる。
【実施例６】
【００９１】
本発明の実施例6はさらに無線ネットワーク計画装置を提供し、該装置が問題を解決する原理は実施例3の方法と同様であるため、その具体的な実施は、実施例3の方法の実施を参照することができ、重複記載は省略される。
【００９２】
図18は、本実施例中の無線ネットワーク計画装置の構成図である。該装置1800は、次のものを含み、即ち、
第一生成ユニット1801：ユーザー入力情報に基づいて、第一計画方案集を生成し；
第四構成ユニット1802：計画待ち領域中のユーザーの数量及びユーザーの選択可能な位置に基づいてユーザーの実際の分布を構成し、また、ユーザーの選択可能な位置及び/又は該ユーザーの実際の分布に基づいて端末の類型及び分布を構成し、これにより、少なくとも１つの無線ネットワークの応用シナリオを取得し、そのうち、該端末の類型は第1類端末及び第2類端末を含み、該第1類端末とは、該第1類端末がAPをアクセスした後に、該APが該第1類端末を、アクセスした端末の総数に累加する端末を指し；該第2類端末とは、該第2類端末がAPをアクセスした後に、該APが該第2類端末を、アクセスした端末の総数に累加しない端末を指し；
第一処理ユニット1803：該第四構成ユニットが構成した各無線ネットワークの応用シナリオについて、該第一計画方案集の中の各計画方案のネットワークパフォーマンスを計算し、所定条件を満足した計画方案を最終計画方案と確定する。
【００９３】
本発明の実施例における装置により、ネットワーク計画の応用シナリオを構成する時に、計画待ち領域中のユーザーの数量及びユーザーの選択可能な位置に基づいてユーザーの実際の分布を構成し、又は、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【００９４】
１つの実施方式では、該第四構成ユニット1802は、該ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザー移動と伴って第1類端末により占用されない第二選択可能な位置に移送するかを構成し、これにより、少なくとも１つの無線ネットワークの応用シナリオを得ることができる。
【００９５】
本実施例では、第一生成ユニット1801、第四構成ユニット1802、第一処理ユニット1803の具体的な実施方式は、実施例3中のステップ1001〜1003を参照することができるため、ここでは重複説明が省略される。
【００９６】
１つの実施方式では、該所定条件は、複数の無線ネットワークの応用シナリオの全部又は一部の目標又は制約のネットワーク総パフォーマンスが所定のネットワークのニーズを満足することである。
【００９７】
１つの実施方式では、該ネットワーク総パフォーマンスの計算方法は、実施例3を参照することができ、該所定条件の具体的な設置方式は、実施例3を参照することができるため、ここでは重複説明が省略される。
【００９８】
図19は、本発明の実施例における無線ネットワーク計画装置の１つの実施方式のハードウェア構成図である。図19に示すように、装置1900は、インターフェース（図示せず）、中央処理装置（CPU）1920、及び記憶器1910を含んでも良く、記憶器1910は、中央処理装置1920に結合される。そのうち、記憶器1910は各種のデータを記憶することができ、無線ネットワーク計画のプログラムを記憶することもでき、中央処理装置1920の制御により該プログラムを実行することができ、さらに各種の所定値なども記憶することができる。
【００９９】
１つの実施方式では、無線ネットワーク計画の機能は、中央処理装置1920に統合することができる。そのうち、中央処理装置1920は次のように構成されても良く、即ち、ユーザー入力情報に基づいて、第一計画方案集を生成し；計画待ち領域中のユーザーの数量及びユーザーの選択可能な位置に基づいてユーザーの実際の分布を構成し；ユーザーの選択可能な位置及び/又は該ユーザーの実際の分布に基づいて端末の類型及び分布を構成し、これにより、少なくとも１つの無線ネットワークの応用シナリオを取得し、そのうち、該端末の類型は第1類端末及び第2類端末を含み、該第1類端末とは、該第1類端末がAPをアクセスした後に、該APが第1類端末を、アクセスした端末の総数に累加する端末を指し；該第2類端末とは、該第2類端末がAPをアクセスした後、該APが該第2類端末を、アクセスした端末の総数に累加しない端末を指し；構成された各無線ネットワークの応用シナリオについて、該第一計画方案集の中の各計画方案のネットワークパフォーマンスを計算し、所定条件を満足した計画方案を最終計画方案と確定する。
【０１００】
そのうち、中央処理装置1920はさらに次のように構成されても良く、即ち、該ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザー移動と伴って第1類端末により占用されない第二選択可能な位置に移動するかを構成し、これにより、少なくとも１つの無線ネットワークの応用シナリオを取得する。
【０１０１】
そのうち、該所定条件は、複数の無線ネットワークの応用シナリオの全部又は一部の目標又は制約のネットワーク総パフォーマンスが所定のネットワークのニーズを満足することである。
【０１０２】
そのうち、中央処理装置1920はさらに次のように構成されても良く、即ち、次の公式で該ネットワーク総パフォーマンスを計算し、即ち、
【数２】
0006686831.tif 000003
【０１０３】
である。
【０１０４】
そのうち、ηiは、第i個目の目標又は制約のネットワーク総パフォーマンスであり、nは、無線ネットワークの応用シナリオの数量であり、ωjは、第j個目のシナリオの重みであり、θjは、第j個目のシナリオの該目標又は制約のネットワークパフォーマンスであり、iは、1〜qの中の正整数であり、そのうち、n、ωj、qは、ニーズに応じて任意に設置されても良く、本実施例はこれに限定されない。
【０１０５】
もう１つの実施方式では、上述の無線ネットワーク計画機能を中央処理装置1920に接続されるチップ（図示せず）に構成することもでき、中央処理装置1920の制御によりネットワーク計画の応用シナリオの構成機能を実現することができる。
【０１０６】
図19に示すように、装置1900はさらに入力ユニット1930及び表示器1940を含み、入力ユニット1930は、ユーザーが計画待ち領域の基本情報を入力するために用いられ、表示器1940は、最終確定の無線ネットワーク計画方案などを表示するために用いられ、そのうち、これらの部品の機能は従来技術と同様であるため、ここではその詳しい説明を省略する。なお、装置1900は必ずしも図19に示す全ての部品を含む必要がない。また、装置1900はさらに図19に示していない部品を含んでも良く、これについては、従来技術を参照することができる。
【０１０７】
本発明の実施例における装置により、ネットワーク計画の応用シナリオを構成する時に、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、このようにして、実際の状況に符合するネットワーク応用シナリオを構成し、また、該応用シナリオ下でのネットワーク計画方案のネットワークパフォーマンスを正確に推定することができる。これにより、ネットワーク計画が妥当であり、建設コストを節約するようにさせることができる。
【実施例７】
【０１０８】
本発明の実施例7はさらに無線ネットワーク計画装置を提供し、該装置が問題を解決する原理は、実施例4の方法と同様であるため、その具体的な実施は、実施例4の方法の実施を参照することができ、重複記載は省略される。
【０１０９】
図20は、本実施例中の無線ネットワーク計画装置の構成図である。該装置2000は、次のものを含み、即ち、
第二生成ユニット2001：ユーザー入力情報に基づいて、第一計画方案集を生成し；
第五構成ユニット2002：無線ネットワークの応用シナリオを構成し；
第二処理ユニット2003：第五構成ユニット2003が構成した無線ネットワークの応用シナリオについて、該第一計画方案集の中の各計画方案のネットワークパフォーマンスを計参し、第一所定条件を満足した時に、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザーと伴って第1類端末により占用されない第二選択可能な位置に移動するかを構成し、そして、各計画方案の異なるユーザー及び端末の移動方式下でのネットワークパフォーマンスを計算し、第二所定条件を満足した計画方案を最終計画方案と確定する。
【０１１０】
本実施例では、該第二生成ユニット2001、第五構成ユニット2002、第二処理ユニット2003の具体的な実施方式は、実施例4中のステップ1101〜1103を参照することができ、ここでは重複説明が省略される。
【０１１１】
図21は、本発明の実施例における無線ネットワーク計画装置の１つの実施方式のハードウェア構成図である。図21に示すように、装置2100は、インターフェース（図示せず）、中央処理装置（CPU）2120及び記憶器2110を含んでも良く、記憶器2110は中央処理装置2120に結合される。そのうち、記憶器2110は各種のデータを記憶することができ、無線ネットワーク計画のプログラムを記憶することもでき、中央処理装置2120の制御により該プログラムを実行することができ、さらに各種の所定値などを記憶することもできる。
【０１１２】
１つの実施方式では、無線ネットワーク計画の機能は、中央処理装置2120に統合することができる。そのうち、中央処理装置2120は、次のように構成されても良く、即ち、ユーザー入力情報に基づいて、第一計画方案集を生成し；無線ネットワークの応用シナリオを構成し；構成された無線ネットワークの応用シナリオについて、該第一計画方案集の中の各計画方案のネットワークパフォーマンスを計算し、第一所定条件を満足した時に、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、また、該ユーザーが移動すると構成した時に、該ユーザーが携帯する第1類端末が該ユーザー移動と伴って第1類端末により占用されない第二選択可能な位置に移動するかを構成し、そして、各計画方案の異なるユーザー及び端末の移動方式下でのネットワークパフォーマンスを計算し、第二所定条件を満足した計画方案を最終計画方案と確定する。
【０１１３】
もう１つの実施方式では、上述の無線ネットワーク計画機能を中央処理装置2120に接続されるチップ（図示せず）に構成しても良く、中央処理装置2120の制御により無線ネットワークの応用シナリオの構成機能を実現することができる。
【０１１４】
図21に示すように、装置2100はさらに入力ユニット2130及び表示器2140を含み、前者は、ユーザーが計画待ち領域の基本情報を入力するために用いられ、後者は、最終確定の無線ネットワーク計画方案などを表示するために用いられ；そのうち、これらの部品の機能は従来技術と同様であるため、ここではその詳しい説明を省略する。なお、装置2100は必ずしも図21に示す全ての部品を含む必要がなく、また、装置2100はさらに図21に示していない部品を含んでも良く、これについては従来技術を参照することができる。
【０１１５】
本発明の実施例における装置により、ネットワークパフォーマンス推定時に、ユーザー及び端末の移動性を考慮することにより、ネットワーク計画方案のネットワークパフォーマンスをより正確に推定することができ、計算速度を向上させることもできる。これにより、ネットワーク計画が妥当であり、建設コストを節約するようにさせることができる。
【０１１６】
本発明の実施例はさらにコンピュータ可読プログラム、そのうち、ネットワーク計画の応用シナリオの構成装置中で該プログラムを実行する時に、該プログラムは、コンピュータに、該装置中で上述の実施例1に記載のネットワーク計画の応用シナリオの構成方法を実行させる。
【０１１７】
本発明の実施例はさらにコンピュータ可読プログラムを記憶した記憶媒体を提供し、そのうち、該コンピュータ可読プログラムは、コンピュータに、ネットワーク計画の応用シナリオの構成装置中で上述の実施例1に記載の構成ネットワーク計画応用シナリオ方法を実行させる。
【０１１８】
本発明の実施例はさらにコンピュータ可読プログラムを提供し、そのうち、無線ネットワーク計画装置中で該プログラムを実行する時に、該プログラムは、コンピュータに、該装置中で上述の実施例2及び3の無線ネットワーク計画方法を実行させる。
【０１１９】
本発明の実施例はさらにコンピュータ可読プログラムを記憶した記憶媒体を提供し、そのうち、該コンピュータ可読プログラムは、コンピュータに、無線ネットワーク計画装置中で上述の実施例2及び3の無線ネットワーク計画方法を実行させる。
【０１２０】
また、本発明の実施例による装置及びび方法は、ソフトウェアにより実現されても良く、ハードウェアにより実現されてもよく、ハードウェア及びびソフトウェアの組み合わせにより実現されても良い。また、本発明はこのようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は上述のプログラムを記憶するための記憶媒体、例えば、ハードディスク、磁気ディスク、光ディスク、DVD、フラッシュメモリなどにも関する。
【０１２１】
また、上述の複数の実施例を含む実施方式に関し、次の付記も開示する。
【０１２２】
（付記1）
ネットワーク計画の応用シナリオを構成する装置であって、
第一構成ユニット及び第二構成ユニットを含み、
前記第一構成ユニットは、計画待ち領域中のユーザーの数量及びユーザーの選択可能な位置に基づいてユーザーの実際の分布を構成し、
前記第二構成ユニットは、ユーザーの選択可能な位置及び/又は前記ユーザーの実際の分布に基づいて端末の類型及び分布を構成し、ネットワーク計画の応用シナリオを取得し、
そのうち、前記端末の類型は、第1類端末及び第2類端末を含み、前記第1類端末とは、該第1類端末がAPをアクセスした後に、前記APが、前記第1類端末を、アクセスした端末の総数に累加する端末を指し、前記第2類端末とは、前記第2類端末がAPをアクセスした後に、前記APが、前記第2類端末を、アクセスした端末の総数に累加しない端末を指す、装置。
【０１２３】
（付記2）
付記1に記載の装置であって、
前記第一構成ユニットは、第一構成モジュール及び第一取得モジュールを含み、
前記第一構成モジュールは、前記計画待ち領域中でユーザーの選択可能な位置を構成し、
前記第一取得モジュールは、前記ユーザーの選択可能な位置から前記ユーザーの数量と同じ数量の第一選択可能な位置を選択し、また、選択した第一選択可能な位置上でユーザーを構成することにより、ユーザーの実際の分布を取得する、装置。
【０１２４】
（付記3）
付記2に記載の装置であって、
前記第二構成ユニットは、第二構成モジュール及び第三構成モジュールを含み、
前記第二構成モジュールは、前記ユーザーの選択可能な位置及び前記ユーザーの実際の分布に基づいて前記端末の類型を構成し、そのうち、前記第一選択可能な位置上では、端末の類型が前記第1類端末であるように構成し、前記第1類端末は前記ユーザーが携帯する端末であり、ユーザーが構成されない第二選択可能な位置上では、端末の類型が前記第2類端末であるように構成し、
前記第三構成モジュールは、前記ユーザーの選択可能な位置に基づいて端末の分布を構成し、そのうち、各前記ユーザーの選択可能な位置上で少なくとも1つの端末を構成し、各ユーザーのためにM個の端末を構成し、そのうち、Mは1以上であり、Mは正整数である、装置。
【０１２５】
（付記4）
付記3に記載の装置であって、
第三構成ユニットをさらに含み、
前記第三構成ユニットは、前記ユーザーの選択可能な位置、ユーザーの実際の分布、端末の類型、及び端末の分布に基づいて、ユーザーがその所在する第一選択可能な位置から前記第1類端末により占用されない第二選択可能な位置に移動するかを構成し、前記ユーザーが移動するように構成した時に、前記ユーザーが携帯する第1類端末が前記ユーザーと伴って前記第1類端末により占用されない第二選択可能な位置に移動するかを構成する、装置。
【０１２６】
（付記5）
付記4に記載の装置であって、
前記第三構成ユニットは、第一判断モジュール、第四構成モジュール、第二判断モジュール、及び第五構成モジュールを含み、
前記第一判断モジュールは、所定の第一移動確率に基づいて、ユーザーが移動するかを判断し、また、前記第1類端末により占用されない第二選択可能な位置があるかを判断し、
前記第四構成モジュールは、前記第一判断モジュールにより移動すると判断され、且つ、前記第1類端末により占用されない第二選択可能な位置があるときに、前記ユーザーがその所在する第一選択可能な位置から前記第二選択可能な位置に移動するように構成し、
前記第二判断モジュールは、所定の第二移動確率に基づいて、前記ユーザーが携帯する第1類端末が移動するかを判断し、また、前記ユーザーの移動先である前記第二選択可能な位置がM個を超えた第1類端末により占用されないかを判断し、
前記第五構成モジュールは、前記第二判断モジュールにより移動すると判断され、且つ、前記ユーザーの移動先である前記第二選択可能な位置がM個を超えた第1類端末により占用されないときに、前記端末が前記ユーザーと伴って前記第二選択可能な位置に移動するように構成する、装置。
【０１２７】
（付記6）
無線ネットワーク計画装置であって、
第一生成ユニット、第四構成ユニット及び第一処理ユニットを含み、
前記第一生成ユニットは、ユーザー入力情報に基づいて、第一計画方案集を生成し、
前記第四構成ユニットは、計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成することにより、少なくとも１つの無線ネットワークの応用シナリオを取得し、
そのうち、前記端末の類型は、第1類端末及び第2類端末を含み、前記第1類端末とは、該第1類端末がAPをアクセスした後、前記APが前記第1類端末を、アクセスした端末の総数に累加する端末を指し、前記第2類端末とは、前記第2類端末がAPをアクセスした後に、前記APが前記第2類端末を、アクセスした端末の総数に累加しない端末を指し、
前記第一処理ユニットは、前記第四構成ユニットが構成した各無線ネットワークの応用シナリオについて、前記第一計画方案集の中の各計画方案のネットワークパフォーマンスを計算し、所定条件を満足した計画方案を最終計画方案と確定する、装置。
【０１２８】
（付記7）
付記6に記載の装置であって、
前記第四構成ユニットはさらに、前記ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成することにより、少なくとも１つの無線ネットワークの応用シナリオを取得する、装置。
【０１２９】
（付記8）
付記6に記載の装置であって、
前記所定条件は、複数の無線ネットワークの応用シナリオの全部又は一部の目標又は制約のネットワーク総パフォーマンスが所定のネットワークのニーズを満足することである、装置。
【０１３０】
（付記9）
付記8に記載の装置であって、
前記ネットワーク総パフォーマンスは、
【数３】
0006686831.tif 000004
【０１３１】
により計算され、
そのうち、ηiは、第i個目の目標又は制約のネットワーク総パフォーマンスであり、nは、無線ネットワークの応用シナリオの数量であり、ωjは、第j個目のシナリオの重みであり、θjは、第j個目のシナリオの該目標又は制約のネットワークパフォーマンスであり、
そのうち、無線ネットワーク計画時にトータルでq個の目標又は制約が設けられ、qは、正整数であり、前記iは、1〜qの間の任意の正整数である、装置。
【０１３２】
（付記10）
無線ネットワーク計画装置であって、
第二生成ユニット、第五構成ユニット、及び第二処理ユニットを含み、
前記第二生成ユニットは、ユーザー入力情報に基づいて、第一計画方案集を生成し、
前記第五構成ユニットは、無線ネットワークの応用シナリオを構成し、
前記第二処理ユニットは、第五構成ユニットが構成した無線ネットワークの応用シナリオについて、前記第一計画方案集の中の各計画方案のネットワークパフォーマンスを計算し、第一所定条件を満足した時に、ユーザーの選択可能な位置、ユーザーの実際の分布、端末の類型及び、端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成し、そして、各計画方案の、異なるユーザー及び端末の移動方式下でのネットワークパフォーマンスを計算し、第二所定条件を満足した計画方案を最終計画方案と確定する、装置。
【０１３３】
（付記11）
ネットワーク計画の応用シナリオを構成する方法であって、
計画待ち領域中のユーザーの数量及びユーザーの選択可能な位置に基づいてユーザーの実際の分布を構成し；及び
ユーザーの選択可能な位置及び/又は前記ユーザーの実際の分布に基づいて端末の類型及び分布を構成し、ネットワーク計画の応用シナリオを取得することを含み、
そのうち、前記端末の類型は、第1類端末及び第2類端末を含み、前記第1類端末とは、該第1類端末がAPをアクセスした後に、前記APが前記第1類端末を、アクセスした端末の総数に累加する端末を指し、前記第2類端末とは、前記第2類端末がAPをアクセスした後に、前記APが前記第2類端末を、アクセスした端末の総数に累加しない端末を指す、方法。
【０１３４】
（付記12）
付記11に記載の方法であって、
ユーザーの実際の分布を構成することは、
前記計画待ち領域中でユーザーの選択可能な位置を構成することを含み、
前記ユーザーの選択可能な位置から前記ユーザーの数量と同じ数量の第一選択可能な位置を選択し、そして、選択した第一選択可能な位置上でユーザーを構成し、ユーザーの実際の分布を取得することをさらに含む、方法。
【０１３５】
（付記13）
付記12に記載の方法であって、
端末の類型及び分布を構成することは、
前記ユーザーの選択可能な位置及び前記ユーザーの実際の分布に基づいて前記端末の類型を構成し、そのうち、前記第一選択可能な位置上では、端末の類型が前記第1類端末であるように構成し、前記第1類端末は前記ユーザーが携帯する端末であり、ユーザーが構成されない第二選択可能な位置上では、端末の類型が前記第2類端末であるように構成し；及び
前記ユーザーの選択可能な位置に基づいて端末の分布を構成し、そのうち、各前記ユーザーの選択可能な位置上で少なくとも1つの端末を構成し、各ユーザーのためにM個の端末を構成し、そのうち、Mは1以上であり、Mは正整数である、ことを含む、方法。
【０１３６】
（付記14）
付記13に記載の方法であって、
前記ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザー移動と伴って前記第1類端末により占用されない第二選択可能な位置に移動するかを構成することをさらに含む、方法。
【０１３７】
（付記15）
付記14に記載の方法であって、
ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザー移動と伴って前記第1類端末により占用されない第二選択可能な位置に移動するかを構成することは、
所定の第一移動確率に基づいて、ユーザーが移動するかを判断し、且つ、第1類端末により占用されない第二選択可能な位置がある時に、前記ユーザーがその所在する第一選択可能な位置から前記第二選択可能な位置に移動するように構成し；及び
所定の第二移動確率に基づいて、前記ユーザーが携帯する第1類端末が移動するかを判断し、且つ、前記ユーザーの移動先である前記第二選択可能な位置がM個を超えた第1類端末により占用されないときに、前記端末が前記ユーザーと伴って前記第二選択可能な位置に移動するように構成することを含む、方法。
【０１３８】
（付記16）
無線ネットワーク計画方法であって、
ユーザー入力情報に基づいて、第一計画方案集を生成し；及び
計画待ち領域中のユーザーの数量及びユーザーの選択可能な位置に基づいてユーザーの実際の分布を構成し、また、ユーザーの選択可能な位置及び/又は前記ユーザーの実際の分布に基づいて端末の類型及び分布を構成し、これにより、少なくとも１つの無線ネットワークの応用シナリオを得ることを含み、
そのうち、前記端末の類型は、第1類端末及び第2類端末を含み、前記第1類端末とは、該第1類端末がAPをアクセスした後、前記APが前記第1類端末を、アクセスした端末の総数に累加する端末を指し、前記第2類端末とは、前記第2類端末がAPをアクセスした後、前記APが前記第2類端末を、アクセスした端末の総数に累加しない端末を指し、
構成された各無線ネットワークの応用シナリオについて、前記第一計画方案集の中の各計画方案のネットワークパフォーマンスを計算し、所定条件を満足した計画方案を最終計画方案と確定することをさらに含む、方法。
【０１３９】
（付記17）
付記16に記載の方法であって、
前記ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動することにより、少なくとも１つの無線ネットワークの応用シナリオを得ることをさらに含む、方法。
【０１４０】
（付記18）
付記16に記載の方法であって、
前記所定条件は、複数の無線ネットワークの応用シナリオの全部又は一部の目標又は制約のネットワーク総パフォーマンスが所定のネットワークのニーズを満足することである、方法。
【０１４１】
（付記19）
付記18に記載の方法であって、
前記ネットワーク総パフォーマンスは、
【数４】
0006686831.tif 000005
により計算され、
そのうち、ηiは、第i個目の目標又は制約のネットワーク総パフォーマンスであり、nは、無線ネットワークの応用シナリオの数量であり、ωjは、第j個目のシナリオの重みであり、θjは、第j個目のシナリオの該目標又は制約のネットワークパフォーマンスであり、
そのうち、無線ネットワーク計画時にトータルでq個の目標又は制約が設けられ、qは、正整数であり、前記iは、1〜qの間の任意の正整数である、方法。
【０１４２】
（付記20）
無線ネットワーク計画方法であって、
ユーザー入力情報に基づいて、第一計画方案集を生成し；
無線ネットワークの応用シナリオを構成し；及び
構成された無線ネットワークの応用シナリオについて、前記第一計画方案集の中の各計画方案のネットワークパフォーマンスを計算し、第一所定条件を満足した時に、ユーザーの選択可能な位置、ユーザーの実際の分布、端末の類型、及び端末の分布に基づいて、ユーザーがその所在する第一選択可能な位置から第1類端末により占用されない第二選択可能な位置に移動するかを構成し、前記ユーザーが移動するように構成したときに、前記ユーザーが携帯する第1類端末が前記ユーザーと伴って前記第1類端末により占用されない第二選択可能な位置に移動するかを構成し、そして、各計画方案の、異なるユーザー及び端末の移動方式下でのネットワークパフォーマンスを計算し、第二所定条件を満足した計画方案を最終計画方案と確定することを含む、方法。
【０１４３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0006686831.tif 000007
【図２】
0006686831.tif 000008
【図３】
0006686831.tif 000009
【図４】
0006686831.tif 000010
【図５】
0006686831.tif 000011
【図６】
0006686831.tif 000012
【図７Ａ】
0006686831.tif 000013
【図７Ｂ】
0006686831.tif 000014
【図８】
0006686831.tif 000015
【図９】
0006686831.tif 000016
【図１０】
0006686831.tif 000017
【図１１】
0006686831.tif 000018
【図１２】
0006686831.tif 000019
【図１３】
0006686831.tif 000020
【図１４】
0006686831.tif 000021
【図１５】
0006686831.tif 000022
【図１６】
0006686831.tif 000023
【図１７】
0006686831.tif 000024
【図１８】
0006686831.tif 000025
【図１９】
0006686831.tif 000026
【図２０】
0006686831.tif 000027
【図２１】
0006686831.tif 000028